(57)【要約】【課題】回転ディスクの磨耗の程度を黙視可能としたメダル払出装置及びそれを用いた回胴式遊技機を提供する。【解決手段】メダル払出装置における回転ディスク５２の主面に溝５２３Ａ〜５２３Ｅを形成する。溝５２３Ａ〜５２３Ｅの深さはそれぞれ異なっているのが好ましい。回転ディスク５２が回転され、ホッパから流入するメダルと擦れて摩耗すると、溝５２３Ａ〜５２３Ｅは徐々に浅くなる。メインユニット３０が着脱可能なユニット型の回胴式遊技機は、メインユニット３０だけが入れ替えられ、メダル払出装置５は入れ替えられないが、このメダル払出装置を用いれば、回転ディスク５２が摩耗しすぎ、メダルを正常に払い出しできなくなる前に新しいものと交換することができる。【選択図】図６
2005149424.tif 000002
【特許請求の範囲】
【請求項１】
メダルを貯留するホッパと、前記ホッパから流入するメダルを受ける主面を有する回転ディスクと、前記回転ディスクを回転させる駆動手段とを備えたメダル払出装置において、
前記回転ディスクの主面に１又は複数の凹所を形成したことを特徴とするメダル払出装置。
【請求項２】
請求項１に記載のメダル排出装置において、
前記凹所のうち少なくとも２つが互いに異なる深さを有することを特徴とするメダル払出装置。
【請求項３】
正面に開口部を有し、メダル払出装置を搭載した筐体と、
表面に図柄が配列された複数のリールとゲームの進行を制御するメイン基板とを有し、前記開口部に着脱可能なメインユニットとを備えた回胴式遊技機であって、
前記メダル払出装置は、メダルを貯留するホッパと、前記ホッパから流入するメダルを受ける主面を有する回転ディスクと、前記回転ディスクを回転させる駆動手段とを備え、
前記回転ディスクの主面に１又は複数の凹所を形成したことを特徴とする回胴式遊技機。
【請求項４】
請求項３に記載の回胴式遊技機において、
前記凹所のうち少なくとも２つが互いに異なる深さを有することを特徴とする回胴式遊技機。
【発明の詳細な説明】
【技術分野】
【０００１】
本発明は、メダル払出装置及びそれを用いた回胴式遊技機に関し、さらに詳しくは、メダル払出装置における回転ディスクの改良に関する。
【背景技術】
【０００２】
回胴式遊技機（パチスロ機ともいう）に用いられるメダル払出装置は、メダルを貯留するホッパと、ホッパから流入するメダルを受ける主面を有する回転ディスクと、回転ディスクを回転させる駆動モータとを備え、回転ディスクを高速に回転させてホッパから流入するメダルを１枚ずつ払い出す。回転ディスクは金属製のメダルと激しく擦れるため、磨耗しやすく、摩耗しすぎるとメダルを正常に払い出しできなくなる場合もある。
【０００３】
ところで、下記特許文献２及び４には、遊技機の入替費用を削減するために、ゲームに関連する部分だけをユニット化し、そのユニットを筐体の開口部に着脱可能としたユニット型の回胴式遊技機が開示されている。
【０００４】
非ユニット型の場合は遊技機全体が比較的短い周期で入れ替えられるため、上述した回転ディスクの摩耗はさほど重大な問題とならない。しかし、ユニット型の場合はユニットだけが入れ替えられ、筐体に搭載されるメダル払出装置は入れ替えられず、そのまま長期間にわたって使用され続けることになる。そのため、回転ディスクの摩耗は極めて重大な問題となり得る。
【特許文献１】特開２００３−２０１２７号公報
【特許文献２】特開２００２−７９７号公報
【特許文献３】特開２０００−３５４６５０号公報
【特許文献４】特開平１１−１１４１３２号公報
【特許文献５】特開平６−１８７５３３号公報
【発明の開示】
【発明が解決しようとする課題】
【０００５】
本発明の目的は、回転ディスクの磨耗の程度を目視可能としたメダル払出装置及びそれを用いた回胴式遊技機を提供することである。
【課題を解決するための手段及び発明の効果】
【０００６】
本発明によるメダル払出装置は、メダルを貯留するホッパと、ホッパから流入するメダルを受ける主面を有する回転ディスクと、回転ディスクを回転させる駆動手段とを備える。このメダル払出装置において、回転ディスクの主面に１又は複数の凹所を形成する。
【０００７】
このメダル払出装置では、回転ディスクが回転させられ、その主面がホッパから流入するメダルと擦れ、摩耗する。主面が摩耗するに連れて凹所の深さが浅くなるので、磨耗の程度を目で確認することができる。その結果、適時に回転ディスクを新しいものと交換することにより、メダルの払い出し不能を予め回避することができる。
【０００８】
一方、本発明による回胴式遊技機は、筐体と、メインユニットとを備える。筐体は、正面に開口部を有し、メダル払出装置を搭載する。メインユニットは、表面に図柄が配列された複数のリールと、ゲームの進行を制御するメイン基板とを有する。メインユニットは、筐体の開口部に着脱可能である。メダル払出装置は、メダルを貯留するホッパと、ホッパから流入するメダルを受ける主面を有する回転ディスクと、回転ディスクを回転させる駆動手段とを備える。このメダル払出装置において、回転ディスクの主面に１又は複数の凹所を形成する。
【０００９】
この回胴式遊技機では、メインユニットだけが入れ替えられ、メダル払出装置が入れ替えられないため、回転ディスクが摩耗しすぎ、メダルを正常に払い出しできなくなるおそれがあるが、磨耗の程度を目で確認することができるので、そのような事態を予め回避することができる。
【００１０】
好ましくは、凹所のうち少なくとも２つが互いに異なる深さを有する。
【００１１】
この場合、摩耗により凹所は浅い方から順に消滅していくため、摩耗の程度を客観的に把握することができる。
【発明を実施するための最良の形態】
【００１２】
以下、図面を参照し、本発明の実施の形態を詳しく説明する。図中同一又は相当部分には同一符号を付してその説明は繰り返さない。
【００１３】
図１〜図３を参照して、本発明の実施の形態による回胴式遊技機１は、メインユニット３０と、筐体２とを備える。メインユニット３０は、ゲームに関連する部品である３つのリール３１を備え、さらに背面にメイン基板３２を備える。
【００１４】
筐体２は正面上部に開口部２１が形成される。開口部２１にはメインユニット３０が着脱される。筐体２はさらに、正面中央部に操作部４０を備え、内部に電源装置２３とメダル払出装置５とを備える。
【００１５】
メダル払出装置５は筐体２内の底部中央に設置され、ボーナス時又は精算時にメダル払出口５３０からメダルを受け皿６に払い出す。
【００１６】
図４を参照して、メダル払出装置５は、メダルを貯留するホッパ５１と、ホッパ５１から流入するメダルを１枚ずつ取り出すための円盤状の回転ディスク５２と、回転ディスク５２を回転させる装置本体５３とを備える。
【００１７】
ホッパ５１は樹脂や金属からなり、漏斗状に形成される。ホッパ５１の上部は矩形に開口し、下部は円形に開口する。その下部開口部５１１は回転ディスク５２よりも少し大径に形成され、回転ディスク５２が下部開口部５１１内に収まるようにホッパ５１は装置本体５３の上面に取り付けられる。
【００１８】
回転ディスク５２には、ホッパ５１から流入するメダルを１枚ずつ取り出すための複数の貫通孔５２１が形成される。貫通孔５２１は、メダルが通過するようにメダルの外径よりも大径に形成される。これら貫通孔５２１は周方向に等間隔に配置される。
【００１９】
装置本体５３は、回転ディスク５２を高速で回転させる駆動モータ（図示せず）を備える。装置本体５３は傾斜する上板５３１を有し、駆動モータの回転軸５３２はその上板５３１に形成された開口部５３３から外部に臨んでいる。
【００２０】
装置本体５３の上板５３１には、概略Ｃ字状のメダル案内プレート５３４と、その切り欠き部５３５から上方に延びるメダル払出路５３６とが取り付けられる。なお、メダル案内プレート５３４は上述したホッパ５１と一緒にねじ等により取り付けられる。
【００２１】
回転ディスク５２はねじ５２２により駆動モータの回転軸５３２に固着され、図５に示すように装置本体５３に取り付けられる。よって、回転ディスク５２は自在に着脱可能である。
【００２２】
回転ディスク５２は駆動モータにより高速に回転され、これによりホッパ５１から流入したメダルは１枚ずつ回転ディスク５２の貫通孔５２１を通過し、回転ディスク５２の下方であってメダル案内プレート５３４の内側に形成されている空間に取り込まれる。回転ディスク５２の裏側にはメダル搬送用の爪（図示せず）が突出しており、この爪がメダルをメダル案内プレート５３４に沿って周方向に搬送する。搬送されたメダルは周知のメダル取り出し用の爪により切り欠き部５３５から排出され、メダル払出路５３６を通ってメダル払出口５３０から図２に示した受け皿６に払い出される。
【００２３】
次に図６〜図８を参照して、回転ディスク５２の構造を詳細に説明する。
【００２４】
ホッパ５１から流入するメダルを受ける回転ディスク５２の主面には、複数の溝５２３Ａ〜５２３Ｅが形成される。溝５２３Ａ〜５２３Ｅは回転ディスク５２の中心から放射状に延び、互いに隣接する貫通孔５２１及び５２１の間に形成される。溝５２３Ａ〜５２３Ｅの幅は、両側の貫通孔５２１及び５２１の間の最も狭い幅よりも狭く、たとえば１．０ｍｍである。溝５２３Ａ〜５２３Ｅの長さは回転ディスク５２の半径よりも短く、たとえば１５ｍｍである。
【００２５】
溝５２３Ａ〜５２３Ｅの深さＤは回転ディスク５２の厚み未満であるが、それぞれ異なる。深さの例は、溝５２３Ａの深さＤ＝０．５ｍｍ、溝５２３Ｂの深さＤ＝０．８ｍｍ、溝５２３Ｃの深さＤ＝１．０ｍｍ、溝５２３Ｄの深さＤ＝１．５ｍｍ、溝５２３Ｅの深さＤ＝２．０ｍｍである。
【００２６】
溝５２３Ａ〜５２３Ｅの深さは本例のように全て互いに異なっていてもよいが、１つだけ他と異なり、他の４つが全て同じであってもよい。また、全ての深さが同じであってもよい。
【００２７】
回転ディスク５２は、耐摩耗性を向上させるために金属製が好ましいが、加工を容易にするために樹脂製であってもよい。
【００２８】
本発明の実施の形態によれば、回転ディスク５２の主面に溝５２３Ａ〜５２３Ｅが形成されているため、回転ディスク５２の主面がメダルと擦れて磨耗すると、溝５２３Ａ〜５２３Ｅが徐々に浅くなる。そのため、回転ディスク５２の磨耗の程度を目で確認することができる。その結果、適時に回転ディスクを新しいものと交換することにより、メダルの払い出し不能を予め回避することができる。
【００２９】
加えて、溝５２３Ａ〜５２３Ｅの深さは全て互いに異なっているため、回転ディスク５２の主面がメダルと擦れて磨耗すると、溝５２３Ａ〜５２３Ｅは浅い方から順に消滅していく。たとえば溝５２３Ａが消滅すると、回転ディスク５２は溝５２３Ａの深さだけ薄くなっていることになる。したがって、溝５２３Ａ〜５２３Ｅのうちどの溝まで消えたら回転ディスク５２を交換するのかを予め決めておけば、摩耗の程度を客観的に把握し、回転ディスク５２を適時に新しいものと交換することができる。
【００３０】
また、回転ディスク５２の摩耗が進行すれば、上述したメダル取り出し用の爪、メダル案内プレート５３４など、メダルと擦れる部材の摩耗も進行しているはずであり、また、上述した駆動モータの老朽化も進行しているはずである。したがって、溝５２３Ａ〜５２３Ｅで摩耗の程度を段階的に把握することにより、メダルと擦れる部材や駆動モータなども適時に新しいものと交換することができる。また、本実施の形態による回胴式遊技機１はメインユニット３０が着脱可能なユニット型であり、メインユニット３０だけが入れ替えられ、メダル払出装置５は入れ替えられない。そのため、回転ディスク５２が摩耗しすぎ、メダルを正常に払い出しできなくなる前に回転ディスク５２を新しいものと交換することができる。
【００３１】
本実施の形態では回転ディスク５２に細長い凹所である溝を形成しているが、溝の代わりに概略半球状の凹所を形成してもよく、凹所の形状は特に限定されない。概略半球状の凹所の径をメダルの径よりも十分に小さくすれば、メダルが凹所に引っ掛かることもなく、安定してメダルを払い出すことができる。また、凹所の数は複数でなくてもよく、少なくとも１つあればよい。
【００３２】
また、本実施の形態によるメダル払出装置５はユニット型の回胴式遊技機１に用いられているが、非ユニット型の回胴式遊技機に用いられてもよい。
【００３３】
以上、本発明の実施の形態を説明したが、上述した実施の形態は本発明を実施するための例示に過ぎない。よって、本発明は上述した実施の形態に限定されることなく、その趣旨を逸脱しない範囲内で上述した実施の形態を適宜変形して実施することが可能である。
【図面の簡単な説明】
【００３４】
【図１】ユニット型の回胴式遊技機の外観構成を示す正面図である。
【図２】図１中のＩＩ−ＩＩ線での断面図である。
【図３】図１中のメインユニットを取り外した回胴式遊技機の正面図である。
【図４】図１中のメダル払出装置の外観構成を示す分解斜視図である。
【図５】図４中の回転ディスクを装着した装置本体の斜視図である。
【図６】図４及び図５中の回転ディスクの外観構成を示す斜視図である。
【図７】図６中のＶＩＩ−ＶＩＩ線での断面図である。
【図８】図６中のＶＩＩＩ−ＶＩＩＩ線での断面図である。
【符号の説明】
【００３５】
１  回胴式遊技機
２  筐体
５  メダル払出装置
２１  開口部
３０  メインユニット
３１  リール
３２  メイン基板
５１  ホッパ
５２  回転ディスク
５３  装置本体
５２１  貫通孔
５２３Ａ〜５２３Ｅ  溝
【図１】
2005149424.tif 000003
【図２】
2005149424.tif 000004
【図３】
2005149424.tif 000005
【図４】
2005149424.tif 000006
【図５】
2005149424.tif 000007
【図６】
2005149424.tif 000008
【図７】
2005149424.tif 000009
【図８】
2005149424.tif 000010